(57)【特許請求の範囲】
【請求項１】
それぞれ缶体を備え、この缶体にて生成の蒸気を負荷機器へ供給する複数台の蒸気ボイラと、
前記負荷機器から排出されるドレンを収集する密閉型のドレンタンクと、
このドレンタンクに接続されポンプを有する共通ドレン供給ラインと、
この共通ドレン供給ラインから分岐して前記各缶体へ接続され、ドレン制御弁を設けた分岐ドレン供給ラインと、
前記各ドレン制御弁の開閉により前記各缶体内の水位を設定水位に制御する制御器と、
前記共通ドレン供給ラインの前記ポンプ下流側と前記ドレンタンクとを結んで形成されドレンが循環する循環路と、
この循環路へ間欠的に薬注する薬注装置とを備え、
前記制御器は、
ドレンの供給を行っている蒸気ボイラの台数の増減と各蒸気ボイラの運転負荷の増減とに応じて前記薬注装置による薬注量を増減させ、
各蒸気ボイラの運転負荷の増減は、各蒸気ボイラの燃焼量と缶体から排出されるブロー水の量とに基づいて演算することを特徴とするクローズドドレンシステム。
【請求項２】
前記循環路に流量制限器を設け、この流量制限器の下流側へ薬注することを特徴とする
請求項１に記載のクローズドドレンシステム。
【発明の詳細な説明】
【技術分野】
【０００１】
この発明は、複数台の蒸気ボイラを有し、各蒸気ボイラへドレンを供給するクローズドドレンシステムに関する。
【背景技術】
【０００２】
省エネを目的として、負荷機器から排出されるドレンを密閉型のドレンタンクにて収集し、収集した高温のドレンを蒸気ボイラの給水として供給するクローズドドレンシステムは、特許文献１などにて知られている。この特許文献１においては、ドレンタンクの下流側で脱酸素剤を薬注装置にて注入する。
【特許文献１】特開２００７−２６３３８５号公報
【発明の開示】
【発明が解決しようとする課題】
【０００３】
この出願の発明者等は、特許文献１のようなクローズドドレンシステムを、それぞれ缶体を備え、この缶体にて生成の蒸気を負荷機器へ供給する複数台の蒸気ボイラと、前記負荷機器から排出されるドレンを収集する密閉型のドレンタンクと、このドレンタンクに接続されポンプを有する共通ドレン供給ラインと、この共通ドレン供給ラインから分岐して前記各缶体へ接続し、ドレン制御弁を設けた分岐ドレン供給ラインと、前記ドレン制御弁の開閉により前記各缶体内の水位を設定水位に制御する制御器とを備えたクローズドドレンシステム（以下、「対象システム」という。）に展開した場合、つぎのような課題があることを見出した。
【０００４】
すなわち、対象システムにおいては、共通ドレン供給ラインに間欠的に薬注する場合、共通ドレン供給ラインおける薬剤濃度が不均一となり、薬剤濃度が不均一な状態で運転負荷状況が異なる各蒸気ボイラに分配供給される。すなわち、薬注動作は瞬間に行われる。そして、配管の中の薬剤濃度分布を考えると、瞬間的に薬注された部分は非常に高濃度であるが、薬注ポンプが待機して薬注してない部分は無薬注の状態となる。たとえば、数秒や数十秒に１回薬注される間欠薬注を行う場合は、配管の給水において高濃度部分が点在するようになる。複数の蒸気ボイラへドレン供給を制御弁の開閉により制御する場合、この高濃度の部分がどの蒸気ボイラに供給されるかはその時の成り行きとなってしまい、蒸気ボイラによっては高濃度が頻繁に供給されたり、無薬注の部分ばかり供給されるといったことが生じるという課題がある。また、前記ドレン制御弁のすべてが同時に開いている状態では、複数の蒸気ボイラへ同時給水することが生ずるが、この場合においても、この点在する高濃度の部分が各蒸気ボイラの給水流量に応じて振り分けられるかどうかは判らず、各蒸気ボイラで濃度ムラが発生するようになるという課題がある。
【０００５】
この発明が解決しようとする課題は、前記対象システムにおいて、各蒸気ボイラへ供給されるドレンへの薬剤濃度を適切にすることである。
【課題を解決するための手段】
【０００６】
この発明は、前記課題を解決するためになされたもので、請求項１に記載の発明は、それぞれ缶体を備え、この缶体にて生成の蒸気を負荷機器へ供給する複数台の蒸気ボイラと
、前記負荷機器から排出されるドレンを収集する密閉型のドレンタンクと、このドレンタンクに接続されポンプを有する共通ドレン供給ラインと、この共通ドレン供給ラインから分岐して前記各缶体へ接続され、ドレン制御弁を設けた分岐ドレン供給ラインと、前記各ドレン制御弁の開閉により前記各缶体内の水位を設定水位に制御する制御器と、前記共通ドレン供給ラインの前記ポンプ下流側と前記ドレンタンクとを結んで形成され、ドレンが循環する循環路と、この循環路へ間欠的に薬注する薬注装置とを備え、前記制御器は、ドレンの供給を行っている蒸気ボイラの台数の増減と各蒸気ボイラの運転負荷の増減とに応じて前記薬注装置による薬注量を増減させ、各蒸気ボイラの運転負荷の増減は、各蒸気ボイラの燃焼量と缶体から排出されるブロー水の量とに基づいて演算することを特徴としている。
【０００７】
請求項１に記載の発明によれば、ドレンが循環する循環路へ薬注するので、ドレンの循環に伴い注入された薬剤がドレンタンクにて攪拌されて薬剤濃度が均一化され、前記各蒸気ボイラへ供給されるドレンへの薬注濃度を適切にすることができるという効果を奏する。
【０００８】
請求項２に記載の発明は、請求項１において、前記循環路に流量制限器を設け、この流量制限器の下流側へ薬注することを特徴としている。
【０００９】
請求項２に記載の発明によれば、請求項１に記載の発明による効果に加えて、前記流量制限器の下流側は低圧となるので、高圧薬注ポンプを用いることなく、一般的な低圧薬注ポンプを用いることができるという効果を奏する。
【発明の効果】
【００１０】
この発明によれば、各蒸気ボイラへ供給されるドレンへの薬剤濃度を適切にすることができるという効果を奏する。
【図面の簡単な説明】
【００１１】
【図１】この発明の実施例１の概略構成を説明する説明図である。
【図２】同実施例１の制御手順を説明するフローチャート図である。
【図３】同実施例１の第一薬注制御の制御手順を説明するフローチャート図である。
【図４】同実施例１の第二薬注制御の制御手順を説明するフローチャート図である。
【図５】この発明の実施例２の概略構成を説明する説明図である。
【図６】同実施例２の薬注制御の制御手順を説明するフローチャート図である。
【発明を実施するための形態】
【００１２】
（実施の形態１）
つぎに、この発明の実施の形態１について説明する。この発明の実施の形態１は、複数台の蒸気ボイラを有し、各蒸気ボイラに対してドレン供給制御を行うクローズドドレンシステムに好適に実施される。
【００１３】
この実施の形態１を具体的に説明する。この実施の形態１のクローズドドレンシステム（クローズドドレン回収システムと称することができる。）は、それぞれ缶体を備え、この缶体にて生成の蒸気を負荷機器へ供給する複数台の蒸気ボイラと、前記負荷機器から排出されるドレンを収集する密閉型のドレンタンクと、このドレンタンクに接続されポンプを有する共通ドレン供給ラインと、この共通ドレン供給ラインから分岐して前記各缶体へ接続され、ドレン制御弁を設けた分岐ドレン供給ラインと前記各ドレン制御弁の開閉により前記各缶体内の水位を設定水位に制御する制御器とを備えている。前記ドレン制御弁の開閉は、開度の調整を含む。
【００１４】
また、この実施の形態１は、前記各分岐ドレン供給ラインにラインの開閉を行う遮断用の第一ドレン制御弁（水位制御用のドレン制御弁を第二ドレン制御弁と称する。）を設けて、前記各蒸気ボイラ毎に、前記各分岐ドレン供給ラインの開閉を行うように構成することができる。しかしながら、前記第一ドレン制御弁を設けることなく、前記第二ドレン制御弁のみで前記第一ドレン制御弁の機能をなすとともに、前記各蒸気ボイラへの給水を制御するように構成することができる。この場合、第二ドレン制御弁は、流量調整が不可能で、開閉のみ可能な弁とするか、流量調整および開閉が可能な弁とし、流量調整および／または開閉により水位制御を行うように構成することができる。
【００１５】
そして、この実施の形態１の特徴とするところは、前記共通ドレン供給ラインの前記ポンプ下流側と前記ドレンタンクとを結んで形成され、ドレンが常時循環する循環路と、この循環路へ間欠的に薬注する薬注装置とを備えたところにある。
【００１６】
このように構成される実施の形態１においては、間欠的な薬注により、薬剤濃度が不均一な状態で注入されても、ドレンが循環している前記循環路へ薬注されるので、前記共通ドレン供給ラインにおける薬剤濃度が均一化される。その結果、前記各蒸気ボイラに供給されるドレンに対して薬注量が不足したり、過剰となったりすることが防止される。
【００１７】
この実施の形態１においては、好ましくは、前記循環路に流量制限器を設け、この流量制限器の下流側へ薬注するように構成する。前記流量制限器は、好ましくは、オリフィスとするが、これに限定されるものではない。
【００１８】
この好ましい実施の形態１によれば、前記流量制限器により前記循環路の循環量を制限できるとともに、前記流量制限器の下流側は低圧となるので、高圧薬注ポンプを用いることなく、一般的な低圧薬注ポンプを用いて薬注することができる。
【００１９】
前記薬注装置による薬注は、前記制御器により制御される。この薬注制御は、好ましくは、前記ドレン供給制御を行っている蒸気ボイラの台数の増減と各蒸気ボイラの運転負荷の増減とに応じて前記第一薬注装置による薬注量を増減させるものとする。
【００２０】
前記「各蒸気ボイラの運転負荷の増減の信号」は、好ましくは、直接的な前記各蒸気ボイラへの給水流量信号ではなく、前記各蒸気ボイラの運転信号から得られる間接的な前記各蒸気ボイラへの給水流量信号とする。この間接的な前記各蒸気ボイラへの給水流量信号は、前記各蒸気ボイラの燃焼量から求めた蒸発量と前記缶体から排出されるブロー水の量とから演算することができる。
【００２１】
また、前記第二ドレン制御弁が前記各蒸気ボイラの燃焼量に応じて開度を調整する場合、その開度信号が間接的な前記各蒸気ボイラへの給水流量信号と考えられるので、その開度信号を前記「各蒸気ボイラの運転負荷の増減の信号」として用いることができる。さらに、前記缶体からのブロー水を制御するブロー弁を所定の燃焼量に達したときに開くように制御するとともに、予め設定したブロー率でブローする場合、前記ブロー弁の開信号に同期して薬注を行うように構成することができる。
【００２２】
なお、前記薬注制御は、前記共通ドレン供給ラインに流量計を設けて、共通ドレン供給ラインへの薬注量をこの流量計の検出流量の増減に応じて増減することも原理的には可能である。しかしながら、前記蒸気ボイラの運転負荷の増減があるため、前記共通ドレン供給ラインを流れるドレンの流量の変動範囲が大きい。この出願の発明者等は、この変動範囲に対応できる高温仕様の流量計を見出していないので、流量計の検出流量の増減に応じて増減する方法を採用していない。
【００２３】
また、この実施の形態１においては、好ましくは、前記第一薬注装置は、前記蒸気ボイラの台数に応じた複数の薬注ポンプを備え、前記制御器は、各蒸気ボイラの運転負荷の増減に応じて対応する薬注ポンプの薬注量を増減するとともに、前記新水供給制御を行っている蒸気ボイラに対応する薬注ポンプを停止することにより前記第一薬注装置による薬注量を制御するように構成する（以下、「複数薬注ポンプ制御方式」という。）。
【００２４】
「前記蒸気ボイラの台数に応じた複数の薬注ポンプ」とは、好ましくは、前記蒸気ボイラの台数と前記薬注ポンプの台数とが同数であることとするが、薬注量の精度の低下が許
容される場合、複数台の蒸気ボイラに対して１台の薬注ポンプを対応させることができる。たとえは、蒸気ボイラ２台または３台に対して薬注ポンプ１台を対応させることができる。
【００２５】
なお、この実施の形態１においては、前記第一薬注装置は、前記各蒸気ボイラに共通の薬注ポンプを備え、前記制御器は、前記ドレン供給制御を行っている前記蒸気ボイラの台数と前記各蒸気ボイラの運転負荷の増減に応じて，すなわち前記ドレン供給制御を行っている前記各蒸気ボイラの運転負荷の増減を合計した運転負荷に応じて共通の薬注ポンプの薬注量を増減するように構成する（以下、「共通薬注ポンプ制御方式」という。）ことができる。
【００２６】
前記の「複数薬注ポンプ制御方式」によれば、複数の薬注ポンプを制御することで、薬注量を制御するので、「共通薬注ポンプ制御方式」と比較して、薬注量を精度良く制御でき、複雑な制御ロジックを必要としないため制御構成を簡素化できる。
【００２７】
さらに、この実施の形態１においては、ドレンの不足を補うために、上記の構成に加えて、補給水ポンプにより前記新水タンク内の新水を加圧して前記ドレンタンクへ供給するように構成することができる。この場合、前記ドレンタンク内の水位を検出する水位センサを設けて、前記ドレンタンク内の水位が低下すると前記水位センサによりこの低下を検出して前記ドレンタンク内の水位が設定水位となるように制御する。
【００２８】
ここで、この発明の実施の形態１のクローズドドレンシステムを構成する構成要素を説明する。前記蒸気ボイラおよび缶体は、特定の形式、構造のものに限定されない。また、前記ドレンタンクは、密閉型のものであればよく、特定の構造のものに限定されない。さらに、前記ドレン制御弁は、モータバルブや電磁弁を用いることができる。前記第一薬注装置により注入される薬液は、防食剤やスケール防止剤を含む。
【００２９】
（実施の形態２）
以上説明した実施の形態１は、複数台の蒸気ボイラを有し、各蒸気ボイラ毎にドレン供給制御と新水供給制御とを切り替えるクローズドドレンシステム（実施の形態２）に好適に実施される。
【００３０】
この実施の形態２のクローズドドレンシステムは、それぞれ缶体を備え、この缶体にて生成の蒸気を負荷機器へ供給する複数台の蒸気ボイラと、前記負荷機器から排出されるドレンを収集する密閉型のドレンタンクと、新水を貯留する開放型の新水タンクと、ドレン供給制御と新水供給制御とを前記各蒸気ボイラにおいて選択的に切り替える制御器と、前記ドレン供給制御時に駆動される第一薬注装置（実施の形態１の薬注装置と同じ薬注装置）とを備えている。
【００３１】
前記制御器は、ドレン供給制御と新水供給制御とを前記各蒸気ボイラにおいて選択的に切り替える給水切替制御に加えて、第一薬注装置による薬注量を制御する第一薬注制御を行う。この給水切替制御と第一薬注制御は、前記各蒸気ボイラ毎に設けた制御器（個別制御器）によって行うこともできるし、共通の制御器（共通制御器）によって行うように構成できる。また、前記給水切替制御を前記個別制御器で行い、前記個別制御器から必要な信号をもらって前記第一薬注制御を前記共通制御器または中継制御器により行うように構成することができる。
【００３２】
前記新水供給制御は、前記新水タンク内の新水を共通新水供給ラインおよびこの共通新水供給ラインから分岐する分岐新水供給ラインを通して前記各缶体へ供給し、その供給量を調整する制御である。
【００３３】
この新水供給制御は、好ましくは、前記各蒸気ボイラに対応して前記分岐新水供給ラインに新水ポンプを設け、この各新水ポンプを前記水位センサの検出信号により、ＯＮ−ＯＦＦまたは回転数制御により行う（以下、「好ましい新水供給制御」という。）。
【００３４】
なお、この新水供給制御は、前記共通新水供給ラインに設けられ前記各蒸気ボイラに共通の１乃至複数台の新水ポンプのＯＮ−ＯＦＦと、前記各分岐新水供給ラインに設けられた水位制御用の新水制御弁の開閉により行うように構成することができる。しかしながら、一般的には、前記各蒸気ボイラには、給水ポンプが内蔵されているので。この給水ポンプを「好ましい新水供給制御」の新水ポンプとして使用する。
【００３５】
前記制御器により前記ドレン供給制御と前記新水供給制御とが、各蒸気ボイラ毎に選択的に行われる。この制御器による選択制御は、好ましくは、異常判定時、前記新水供給制御を行い、異常と判定しない時、前記ドレン供給制御を行うものとする。異常判定は、前記各缶体内圧力が設定値以下，前記各缶体の異常低水位，前記各缶体の異常高水位および前記ドレンポンプの給水流量低下のいずれかが検出されたとき行われるが、これ以外のものを含ませることができる。
【００３６】
そして、前記各蒸気ボイラにおいてドレン供給制御と新水供給制御とが同時に行われないように構成する。すなわち、ドレン供給制御時に前記各分岐供給ラインを開き、新水供給制御時に前記各分岐ドレン供給ラインを閉じる遮断用のドレン制御弁を前記各分岐ドレン供給ラインに設けるとともに、新水供給制御時に前記各分岐新水供給ラインを開き、ドレン供給制御時に前記各分岐新水供給ラインを閉じる遮断用の新水制御弁を前記各分岐新水供給ラインに設ける。前記遮断用のドレン制御弁は、好ましくは、前記水位制御用のドレン制御弁と別個に設けるが、共用することも可能である。また、前記遮断用の新水制御弁は、好ましくは、前記水位制御用の新水制御弁と別個に設けるが、共用することも可能である。
【００３７】
この実施の形態２においては、上記の構成に加えて、前記新水供給制御時に前記各新水供給ラインまたは前記新水タンクへ薬注する第二薬注装置を備え、前記制御器は、第二薬注制御を行う。この第二薬注制御は、前記各新水供給ラインへ薬注する場合、前記各分岐新水供給ラインの新水流量の増減に応じて、前記第二薬注装置による薬注量を増減するものであり、前記新水タンクへ薬注する場合、前記共通新水ラインの新水流量の増減に応じて、前記第二薬注装置による薬注量を増減するものとすることができる。この第二薬注装置および第二薬注制御は、公知のものを採用することができる。
【実施例１】
【００３８】
ついで、この発明の実施例１のクローズドドレンシステム（前記実施の形態２に相当）を図面に従い説明する。図１は、この発明の実施例１の概略構成を説明する説明図であり、図２は、同実施例１の制御手順を説明するフローチャート図であり、図３は、同実施例１の第一薬注制御の制御手順を説明するフローチャート図であり、図４は、同実施例１の第二薬注制御の制御手順を説明するフローチャート図である。
【００３９】
＜実施例１の構成＞
この実施例１のクローズドドレンシステムは、それぞれ缶体１Ａ，１Ｂ，１Ｃを備え、この缶体１Ａ，１Ｂ，１Ｃにて生成の蒸気を蒸気ヘッダ２などを介して負荷機器３，４へ供給する複数台の蒸気ボイラ５Ａ，５Ｂ，５Ｃと、負荷機器３，４から排出されるドレンを収集（回収）する密閉型のドレンタンク６と、新水を貯留する開放型の新水タンク７と、ドレン供給制御と新水供給制御とを各蒸気ボイラ５Ａ，５Ｂ，５Ｃにおいて選択的に切り替える第一制御器８Ａ，８Ｂ，８Ｃと、ドレン供給制御時に駆動される第一薬注装置９
と、新水供給制御時に駆動される第二薬注装置１０とを主要部として備える。
【００４０】
各負荷機器３，４は、蒸気供給ライン１１，１２およびドレン回収ライン１３，１４によって蒸気ヘッダ２とドレンタンク６との間に接続されている。
【００４１】
ドレンタンク６と各缶体１Ａ，１Ｂ，１Ｃとは、共通ドレン供給ライン１５とこの共通ドレン供給ライン１５から分岐して形成される分岐ドレン供給ライン１６Ａ，１６Ｂ，１６Ｃとで接続されている。
【００４２】
共通ドレン供給ライン１５には、ドレンポンプ１７およびドレンポンプ１７方向の流れを阻止する第一逆止弁１８を設けている。そして、ドレンポンプ１７の下流側とドレンタンク６の上部とが、循環制御弁１９および流量制限手段としてのオリフィス２０を設けた循環路２１にて接続されている。循環制御弁１９は、ドレンポンプ１７の駆動、停止に連動して、それぞれ開、閉されるが、ドレンポンプ１７の駆動時以外に必要に応じて閉じるように構成することができる。
【００４３】
各分岐ドレン供給ライン１６Ａ，１６Ｂ，１６Ｃには、ドレン遮断用の第一ドレン制御弁２２Ａ，２２Ｂ，２２Ｃと、水位制御用の第二ドレン制御弁２３Ａ，２３Ｂ，２３Ｃと、共通ドレン供給ライン１５方向への流れを阻止する第二逆止弁２４Ａ，２４Ｂ，２４Ｃと、反缶体１Ａ，１Ｂ，１Ｃ方向への流れを阻止する第三逆止弁２５Ａ，２５Ｂ，２５Ｃとを設けている。缶体１Ａ，１Ｂ，１Ｃと第三逆止弁２５Ａ，２５Ｂ，２５Ｃとの間には、給水予熱器（エコノマイザ）２６Ａ，２６Ｂ，２６Ｃを接続している。
【００４４】
新水タンク７とドレンタンク６との間は、補給水ポンプ２７，反新水タンク７方向への流れを阻止する第四逆止弁２８，補給水制御弁２９を設けた補給水ライン３０で接続している。符号３１は、第四逆止弁２８および補給水制御弁２９の間と新水タンク７との間を接続する戻しラインである。符号３２は、新水タンク７への給水ラインである。また、符号３３は、ドレンタンク６内に所定水位以上のドレンが貯留されたとき開くドレン貯留量調整用の第三ドレン制御弁３４を設け、ドレンタンク６と新水タンク７とを接続するドレン調整ラインである。
【００４５】
また、新水タンク７と各缶体１Ａ，１Ｂ，１Ｃとは、共通新水供給ライン３５とこの共通新水供給ライン３５から分岐して形成される分岐新水供給ライン３６Ａ，３６Ｂ，３６Ｃとで接続されている。共通新水供給ライン３５は、補給水ライン３０の一部を共用することにより、共通新水供給ライン３５に補給水ポンプ２７および第四逆止弁２８を備える構成としている。
【００４６】
各分岐新水供給ライン３６Ａ，３６Ｂ，３６Ｃには、流量検出器３７Ａ，３７Ｂ，３７Ｃと、圧力調整弁３８Ａ，３８Ｂ，３８Ｃと、新水遮断用の新水制御弁３９Ａ，３９Ｂ，３９Ｃと、新水ポンプ４０Ａ，４０Ｂ，４０Ｃと、共通新水供給ライン３５方向への流れを阻止する第五逆止弁４１Ａ，４１Ｂ，４１Ｃとを設けている。分岐新水供給ライン３６Ａ，３６Ｂ，３６Ｃは、分岐ドレン供給ライン１６Ａ，１６Ｂ，１６Ｃの一部（第三逆止弁２５Ａ，２５Ｂ，２５Ｃを備える部分）を共用している。第三逆止弁２５Ａ，２５Ｂ，２５Ｃおよび新水ポンプ４０Ａ，４０Ｂ，４０Ｃは、各蒸気ボイラ５Ａ，５Ｂ，５Ｃに予め内蔵されているものを使用している。
【００４７】
各蒸気ボイラ５Ａ，５Ｂ，５Ｃには、各缶体１Ａ，１Ｂ，１Ｃ内の水位を検出する水位センサ４２Ａ，４２Ｂ，４２Ｃを備えている。
【００４８】
第一薬注装置９は、蒸気ボイラ５Ａ，５Ｂ，５Ｃの台数に等しい台数の第一薬注ポンプ
４４Ａ，４４Ｂ，４４Ｃを内蔵している。各第一薬注ポンプ４４Ａ，４４Ｂ，４４Ｃは、共通の薬液を貯留する薬注タンク（図示省略）に接続され、各第一薬注ポンプ４４Ａ，４４Ｂ，４４Ｃに対応する吐出口４５Ａ，４５Ｂ，４５Ｃから第一薬注ライン４６Ａ、４６Ｂ、４６Ｃを通して、循環路２１のオリフィス２０とドレンタンク６との間に薬液を注入するように構成している。第一薬注ポンプ４４Ａ，４４Ｂ，４４Ｃは、間欠薬注を行う電磁ポンプを使用している。
【００４９】
第一薬注ポンプ４４Ａ，４４Ｂ，４４Ｃは、それぞれ対応する各第一制御器８Ａ，８Ｂ，８Ｃから送信され、第一薬注装置９に設けた中継用の第二制御器４７により中継される第一薬注制御信号により制御されるように構成されている。具体的には、各第一薬注ポンプ４４Ａ，４４Ｂ，４４Ｃの給電ライン（符号省略）には、第一リレー接点４８Ａ，４８Ｂ，４８Ｃが設けられ、各第一制御器８Ａ，８Ｂ，８Ｃは、各第一リレー接点４８Ａ，４８Ｂ，４８Ｃを開くことにより、各第一薬注ポンプ４４Ａ，４４Ｂ，４４Ｃを停止する。
【００５０】
第一薬注制御信号は、通電制御信号と駆動信号とからなり、通電制御信号により、各第一リレー接点４８Ａ，４８Ｂ，４８Ｃが閉じている間、各第一薬注ポンプ４４Ａ，４４Ｂ，４４Ｃは、駆動信号ライン（図示省略）を通して送られる駆動信号に対応して間欠的に（パルス的）に薬液を吐出する。
【００５１】
第二薬注装置１０は、第一薬注装置９と同様な構成を有しており、異なるのは、薬注位置である。すなわち、第二薬注装置１０は、蒸気ボイラ５Ａ，５Ｂ，５Ｃの台数に等しい台数の第二薬注ポンプ４９Ａ，４９Ｂ，４９Ｃを内蔵している。各第二薬注ポンプ４９Ａ，４９Ｂ，４９Ｃは、共通の薬液を貯留する薬注タンク（図示省略）に接続され、各第二薬注ポンプ４９Ａ，４９Ｂ，４９Ｃに対応する吐出口５０Ａ，５０Ｂ，５０Ｃから第二薬注ライン５１Ａ，５１Ｂ，５１Ｃを通して、各分岐新水供給ライン３６Ａ，３６Ｂ，３６Ｃの各新水制御弁３９Ａ，３９Ｂ，３９Ｃと新水ポンプ４０Ａ，４０Ｂ，４０Ｃとの間に薬液を注入するように構成している。第二薬注ポンプ４９Ａ，４９Ｂ，４９Ｃも、間欠薬注を行う電磁ポンプを使用している。
【００５２】
第二薬注ポンプ４９Ａ，４９Ｂ，４９Ｃは、それぞれ対応する各第一制御器８Ａ，８Ｂ，８Ｃから送信され、第二薬注装置１０に設けた中継用の第三制御器５２により中継される第二薬注制御信号により制御されるように構成されている。具体的には、各第二薬注ポンプ４９Ａ，４９Ｂ，４９Ｃの給電ライン（符号省略）には、第二リレー接点５３Ａ，５３Ｂ，５３Ｃが設けられ、第四制御器５２は、各第二リレー接点５３Ａ，５３Ｂ，５３Ｃを開くことにより、各第二薬注ポンプ４９Ａ，４９Ｂ，４９Ｃを停止する。第二薬注制御信号は、通電制御信号と駆動信号とからなり、通電制御信号により、各第二リレー接点５３Ａ，５３Ｂ，５３Ｃが閉じている間、各第二薬注ポンプ４９Ａ，４９Ｂ，４９Ｃは、駆動信号ライン（図示省略）を通して送られる駆動信号に対応して間欠的に（パルス的）に薬液を吐出する。
【００５３】
前記各第一制御器８Ａ，８Ｂ，８Ｃは、各蒸気ボイラ５Ａ，５Ｂ，５Ｃに設けた給水制御切替スイッチ（図示省略）、各蒸気ボイラ５Ａ，５Ｂ，５Ｃの水位センサ４２Ａ，４２Ｂ，４２Ｃ、流量検出器３７Ａ，３７Ｂ，３７Ｃなどのセンサからの信号を入力して、予め記憶している制御手順に基づき、ドレンポンプ１７、循環制御弁１９、各第一ドレン制御弁２２Ａ，２２Ｂ，２２Ｃ、各第二ドレン制御弁２３Ａ，２３Ｂ，２３Ｃ、補給水制御弁２９、第三ドレン制御弁３４、補給水ポンプ２７、新水制御弁３９Ａ，３９Ｂ，３９Ｃ、新水ポンプ４０Ａ，４０Ｂ，４０Ｃ、第一薬注装置９、第二薬注装置１０などを制御する。
【００５４】
前記各第一制御器８Ａ，８Ｂ，８Ｃの制御手順には、各蒸気ボイラ５Ａ，５Ｂ，５Ｃ毎
にドレン供給制御および新水供給制御のいずれかに切り替える給水切替制御の手順（給水切替制御手順）と、ドレン供給制御に含まれドレン供給制御時に第一薬注制御信号を送って第一薬注装置を制御する第一薬注制御の手順（第一薬注制御手順）と、新水供給制御に含まれ新水供給制御時に第二薬注制御信号を送って第二薬注装置を制御する第二薬注制御の手順（第二薬注制御手順）とが含まれている。給水切替制御手順，第一薬注制御手順，第二薬注制御手順の概要をそれぞれ図２，図３，図４に示す。
【００５５】
＜実施例１の動作＞
ここで、実施例１の動作を図面に基づき説明する。図２を参照して、処理ステップＳ１（以下、処理ステップＳＮを単にＳＮと称する。）において、各第一制御器８Ａ，８Ｂ，８Ｃは、各蒸気ボイラ５Ａ，５Ｂ，５Ｃの運転スイッチ（図示省略）がＯＮかどうかを判定する。
【００５６】
（給水切替制御）
Ｓ１でＹＥＳが判定されると、Ｓ２へ移行し、前記給水制御切替スイッチがＯＮされたかどうかを判定する。Ｓ２でＮＯが判定されると、Ｓ３へ移行して、つぎの異常が生じているかどうかを判定する。異常との判定は、各缶体１Ａ，１Ｂ，１Ｃ内圧力が設定値以下、各缶体１Ａ，１Ｂ，１Ｃの異常低水位、各缶体１Ａ，１Ｂ，１Ｃの異常高水位およびドレンポンプ１７の給水流量低下のいずれかが検出されたとき行われる。ドレンポンプ１７の給水流量低下は、前記ドレン給水制御を行っているのに規定水位を満たさない場合に判定する。
【００５７】
Ｓ３で異常と判定されると、Ｓ５へ移行して、各蒸気ボイラ５Ａ，５Ｂ，５Ｃの運転を停止し、この異常停止を表示器（図示省略）により警報し、処理はＳ１に戻る。異常停止の警報を知ったユーザーまたはメンテナンス員は、前記給水制御切替スイッチを操作する。すると、Ｓ２でＹＥＳが判定され、Ｓ６へ移行して、新水供給制御が実行される。Ｓ３でＮＯが判定されると、すなわち異常と判定しない時ドレン供給制御が実行される。
【００５８】
（ドレン供給制御）
Ｓ４のドレン供給制御について説明する。ドレン供給制御は、ドレンポンプ１７のＯＮ−ＯＦＦと、第一ドレン制御弁２２Ａ，２２Ｂ，２２Ｃおよび第二ドレン制御弁２３Ａ，２３Ｂ，２３Ｃの開閉により行う。ドレン供給制御を行っている第一ドレン制御弁２２Ａ，２２Ｂ，２２Ｃを開き、新水供給制御を行っている第一ドレン制御弁２２Ａ，２２Ｂ，２２Ｃを閉じる。
【００５９】
より具体的には、各水位センサ４２Ａ，４２Ｂ，４２Ｃにより、各缶体１Ａ，１Ｂ，１Ｃ内の水位が設定水位となるように、ドレン供給制御を行っている各第二ドレン制御弁２３Ａ，２３Ｂ，２３Ｃの開閉により行う。このドレン供給制御時、ドレンポンプ１７は、常時回転駆動される。その結果、ドレンタンク６内のドレンが共通ドレン供給ライン１５と、ドレン供給制御を行っている各蒸気ボイラ５Ａ，５Ｂ，５Ｃ各分岐ドレン供給ライン１６Ａ，１６Ｂ，１６Ｃを通して各缶体１Ａ，１Ｂ，１Ｃへ供給される。その供給量は、各第二ドレン制御弁２３Ａ，２３Ｂ，２３Ｃの開閉により制御される。
【００６０】
（第一薬注制御）
このドレン供給制御時、図３の第一薬注制御が行われる。Ｓ１１において、各第一制御器８Ａ，８Ｂ，８Ｃは、自らがドレン供給制御を行っているかどうかの信号を取り込み、Ｓ１２において、第二制御器４７に対して、第一薬注制御信号を送る。この第一薬注制御信号は、各蒸気ボイラ５Ａ，５Ｂ，５Ｃがドレン供給制御か前記新水供給制御かの信号と、各蒸気ボイラ５Ａ，５Ｂ，５Ｃの運転負荷の増減の信号とを含んでいる。
【００６１】
前記運転負荷の増減の信号は、各蒸気ボイラ５Ａ，５Ｂ，５Ｃの運転信号から得られる間接的な前記各蒸気ボイラへの給水流量信号であり、各蒸気ボイラ５Ａ，５Ｂ，５Ｃの燃焼量（蒸発量）と缶体１Ａ，１Ｂ，１Ｃから排出されるブロー水の量とから演算したものである。なお、この運転負荷の増減の信号はその時の運転負荷に応じたパルスによる駆動信号として第二制御器４７へ送られる。
【００６２】
この第一薬注制御信号を受けた第二制御器４７は、ドレン供給制御を行っている各蒸気ボイラ５Ａ，５Ｂ，５Ｃに対応する各第一リレー接点４８Ａ，４８Ｂ，４８Ｃを閉じて、対応する各第一薬注ポンプ４４Ａ，４４Ｂ，４４Ｃを運転する。そして、各蒸気ボイラ５Ａ，５Ｂ，５Ｃからは運転負荷の増減に応じた駆動信号が送られてくるため、この駆動信号に対応して各第一薬注ポンプ４４Ａ，４４Ｂ，４４Ｃを駆動することで薬注量を調整する。新水供給制御を行っている各蒸気ボイラ５Ａ，５Ｂ，５Ｃに対応する各第一リレー接点４８Ａ，４８Ｂ，４８Ｃは、開いて、各第一薬注ポンプ４４Ａ，４４Ｂ，４４Ｃを停止する。
【００６３】
上述のように、ドレンポンプ１７の駆動により、ドレンタンク６内のドレンが各蒸気ボイラ５Ａ，５Ｂ，５Ｃへ供給される。同時に、ドレンポンプ１７の駆動時、循環制御弁１９が開いているので、ドレンポンプ１７から吐出されたドレンの一部（その量は、オリフィス２０によって制限される）が循環路２１を通してドレンタンク６に戻され、循環する。第一薬注装置９からの薬剤は、この循環路２１に間欠的に薬注されることになる。例えば、蒸発量７トン／時間の３台の蒸気ボイラとすると、３台とも低燃焼の時は１０数秒に１回のパルス、高燃焼の場合は数秒に１回のパルスとする。パルスの間隔は、蒸気ボイラによって異なるが、好ましくは、最短で２５０msec間隔のパルス、最長で数１０秒に１回のパルスとする。  
【００６４】
その結果、薬剤濃度が不均一なドレンは、ドレンタンク６において攪拌され、その薬剤濃度が均一化される。その結果、薬剤濃度が均一化されたドレンが各蒸気ボイラ５Ａ，５Ｂ，５Ｃへ供給されることになる。
【００６５】
また、第一薬注装置９からの薬剤の薬注位置をオリフィス２０の下流側としているので、オリフィス２０の下流側が低圧となっていて、第一薬注ポンプ４４Ａ，４４Ｂ，４４Ｃを高圧薬注ポンプでなく、一般的な低圧薬注ポンプとすることができる。
【００６６】
こうした第一薬注制御により、ドレン供給制御を行っている蒸気ボイラ５Ａ，５Ｂ，５Ｃの台数の増減と、各蒸気ボイラ５Ａ，５Ｂ，５Ｃの運転負荷の増減とに応じて、第一薬注装置９による薬注量が制御される。その結果、共通ドレン供給ライン１５のドレンへの薬注量および蒸気ボイラ５Ａ，５Ｂ，５Ｃへ供給されるドレンへの薬注量を適切に制御することができる。また、この第一薬注制御は、流量計を用いることなく行っているので、クローズドドレンシステム構成を簡素化できる。
【００６７】
また、蒸気ボイラ５Ａ，５Ｂ，５Ｃと同数の第一薬注ポンプ４４Ａ，４４Ｂ，４４Ｃを制御して薬注量を制御するので、薬注量を精度良く制御でき、複雑な制御ロジックを必要としないため制御構成を簡素化できる。
【００６８】
このドレン供給制御時、ドレンタンク６内の水位が低下すると水位センサ（図示省略）によりこの低下を検出して、補給水制御弁２９を開くとともに、補給水ポンプ２７が運転されていないときは、これを運転する。そして、新水タンク７内の新水をドレンタンク６へ供給して、ドレンタンク６内の水位が設定水位となるように制御する。
【００６９】
（新水供給制御）
Ｓ６の新水供給制御は、新水供給制御を行っている各蒸気ボイラ５Ａ，５Ｂ，５Ｃの各新水制御弁３９Ａ，３９Ｂ，３９Ｃを開き、各水位センサ４２Ａ，４２Ｂ，４２Ｃの検出信号により、各新水ポンプ４０Ａ，４０Ｂ，４０Ｃを各缶体１Ａ，１Ｂ，１Ｃ内の水位が設定水位となるようにＯＮ−ＯＦＦすることで行われる。新水タンク７内の新水が共通新水供給ライン３５と、新水供給制御を行っている各蒸気ボイラ５Ａ，５Ｂ，５Ｃ各分岐新水供給ライン３６Ａ，３６Ｂ，３６Ｃを通して各缶体１Ａ，１Ｂ，１Ｃへ供給される。
【００７０】
（第二薬注制御）
この新水供給制御時、図４の第二薬注制御が行われる。Ｓ２１において、各第一制御器８Ａ，８Ｂ，８Ｃは、新水供給制御を行っている各蒸気ボイラ５Ａ，５Ｂ，５Ｃの各流量検出器３７Ａ，３７Ｂ，３７Ｃから検出流量信号（パルス駆動信号）を取り込む。そして、Ｓ２において、第三制御器５２に対して、第二薬注制御信号を送る。この第二薬注制御信号は、各蒸気ボイラ５Ａ，５Ｂ，５Ｃの運転負荷の増減の信号に相当する各蒸気ボイラ５Ａ，５Ｂ，５Ｃに関する検出流量信号（パルス駆動信号）を含んでいる。
【００７１】
この第二薬注制御信号を受けた第三制御器５２は、新水供給制御を行っている各蒸気ボイラ５Ａ，５Ｂ，５Ｃに対応する各第一リレー接点５３Ａ，５３Ｂ，４８Ｃを閉じて、各第二薬注ポンプ４９Ａ，４９Ｂ，４９Ｃを運転する。そして、各蒸気ボイラ５Ａ，５Ｂ，５Ｃの運転負荷の増減すなわち検出流量信号（パルス駆動信号）に応じて、薬注量を調整する。ドレン供給制御を行っている各蒸気ボイラ５Ａ，５Ｂ，５Ｃに対応する各第二リレー接点５３Ａ，５３Ｂ，５３Ｃは、開いて、対応する各第二薬注ポンプ４９Ａ，４９Ｂ，４９Ｃを停止する。こうして、各第二薬注ポンプ４９Ａ，４９Ｂ，４９Ｃが制御される。薬注量が調整された薬液は、各第二薬注ポンプ４９Ａ，４９Ｂ，４９Ｃから第二薬注ライン５１Ａ，５１Ｂ，５１Ｃを通して、各分岐新水供給ライン３６Ａ，３６Ｂ，３６Ｃへ注入される。
【実施例２】
【００７２】
つぎにこの発明の実施例２（前記実施の形態１に相当）を図５および図６に基づき説明する。この実施例２は、前記実施例１の新水供給制御の構成を備えず、実施例１のドレン供給制御と新水供給制御との切替を行わない実施例である。以下、実施例１と異なる構成を中心に説明し、実施例１と同じ構成は同じ符号を付してその説明を省略する。
【００７３】
実施例２の構成は、図５に示す通りで、実施例１の新水供給制御を行う手段（共通新水供給ライン３５，この共通新水供給ライン３５から分岐して形成される分岐新水供給ライン３６Ａ，３６Ｂ，３６Ｃ，これらのラインに設けた弁類）と、第二薬注装置１０を含む第二薬注制御を行う手段を備えていない。
【００７４】
そして、実施例２の第一薬注制御は、図６の制御手順で制御される。すなわち、Ｓ１３において、各第一制御器８Ａ，８Ｂ，８Ｃは、各蒸気ボイラの５Ａ，５Ｂ，５Ｃの運転スイッチ（図示省略）がＯＮかどうかを判定し、その信号を取り込む。ついで、Ｓ３２にて、第二制御器４７へ運転中かどうかの信号と薬注量に関する駆動信号を送信し、運転中，運転停止中の各蒸気ボイラの５Ａ，５Ｂ，５Ｃに対応する各第一リレー接点４８Ａ，４８Ｂ，４８Ｃをそれぞれ開き、閉じる。そして、Ｓ３３で実施例１の同様の前記駆動信号により各第一薬注ポンプ４４Ａ，４４Ｂ，４４Ｃによる薬注量を制御する。
【符号の説明】
【００７５】
１Ａ〜１Ｃ            缶体
３、４                負荷機器
５Ａ〜５Ｃ            ボイラ
６                    ドレンタンク
８                    第一制御器（制御器）
９                    第一薬注装置
１０                    第二薬注装置
１５Ａ〜１５Ｃ          共通ドレン供給ライン
１６Ａ〜１６Ｃ          分岐ドレン供給ライン
１７                    ドレンポンプ
２１                    循環路
２２                    第二ドレン制御弁（ドレン制御弁）
【図５】
0005625589.tif 000002
【図６】
0005625589.tif 000003
【図１】
0005625589.tif 000004
【図２】
0005625589.tif 000005
【図３】
0005625589.tif 000006
【図４】
0005625589.tif 000007